(57)【要約】【課題】組立て作業の作業性の向上を図る。【解決手段】非常用点灯装置１は、光源ユニット４と、電源ユニット５と、光源ユニット４及び電源ユニット５のうちの少なくとも一方と電気的に接続される１つ以上の部品とを備える。非常用点灯装置１は、光源ユニット４、電源ユニット５及び前記部品を収容して造営材に取り付けられる本体２と、電源ユニット５を支持する支持部材２３とを備える。本体２は、下面が開放された箱形に形成されている。１つ以上の部品のうちの少なくとも１つの部品が支持部材２３に取り付けられる。【選択図】        図２
2019160761.tif 000002
【特許請求の範囲】
【請求項１】
光源と、
非常用電源から給電されて前記光源を点灯させる電源ユニットと、
前記光源及び前記電源ユニットの少なくとも一方と電気的に接続される１つ以上の部品と、
前記光源、前記電源ユニット及び前記部品を収容して造営材に取り付けられる本体と、
前記電源ユニットを支持する支持部材と
を備え、
前記本体は、前面が開放された箱形に形成され、
前記１つ以上の部品のうちの少なくとも１つの部品が前記支持部材に取り付けられる、
非常用点灯装置。
【請求項２】
前記光源は、前記支持部材に取り付けられる、
請求項１記載の非常用点灯装置。
【請求項３】
前記非常用電源である蓄電池と、
常用電源から供給される電力で前記蓄電池を充電する充電回路と、
前記常用電源から前記充電回路への給電路となる電源線が電気的に接続される端子台と
を更に備え、
前記支持部材に取り付けられる前記部品は、前記端子台を含む、
請求項１又は２記載の非常用点灯装置。
【請求項４】
前記支持部材は、
前記本体の内底面と対向する取付部と、
前記取付部から前記本体の内底面に向かって突き出し、かつ、先端部分が前記本体に固定される一つ以上の脚部と
を有し、
前記部品及び前記光源は、前記本体の内底面に対向する前記取付部の第１面と反対の前記取付部の第２面に取り付けられる、
請求項１〜３のいずれか１項に記載の非常用点灯装置。
【請求項５】
操作入力を受け付けるためのスイッチを有するスイッチブロックを備え、
前記電源ユニットは、前記操作入力に応じて前記光源を点灯させる機能を有し、
前記スイッチブロックは、前記支持部材に取り付けられる、
請求項１〜４のいずれか１項に記載の非常用点灯装置。
【請求項６】
前記支持部材は、
前記本体の内底面と対向する取付部と、
前記取付部から前記本体の内底面に向かって突き出し、かつ、先端部分が前記本体に固定される一つ以上の脚部と
を有し、
前記部品及び前記光源は、前記本体の内底面に対向する前記取付部の第１面と反対の前記取付部の第２面に取り付けられており、
前記取付部は、前記光源と前記電源ユニットを電気的に接続する第１電線、又は前記部品と前記電源ユニットを電気的に接続する第２電線の少なくとも一方が通される１つ以上の孔を有する、
請求項５記載の非常用点灯装置。
【請求項７】
前記支持部材は、前記取付部と前記電源ユニットの間に、前記第１電線又は前記第２電線のうちの少なくともいずれか一方が配置される空間を有する、
請求項６記載の非常用点灯装置。
【発明の詳細な説明】
【技術分野】
【０００１】
本発明は、非常用点灯装置に関し、より詳細には、非常時に光源を点灯させる非常用点灯装置に関する。
【背景技術】
【０００２】
従来の非常用点灯装置の一例として特許文献１記載の点滅装置を例示する。特許文献１記載の点滅装置（非常用点灯装置）は、本体と、点滅部と、点滅回路とを有する。本体は箱形に形成されている。本体の前面に点滅部が配置される。点滅部は光源としてＬＥＤを有する。点滅回路は点滅部を周期的に発光（点滅）させる。点滅装置は、本体の後端部分を埋め込むようにして壁又は天井に設置される。
【先行技術文献】
【特許文献】
【０００３】
【特許文献１】特開２０１２−１５５６１１号公報
【発明の概要】
【発明が解決しようとする課題】
【０００４】
ところで、特許文献１記載の点滅装置（非常用点灯装置）では、点滅部と点滅回路を電気的に接続する配線を配置するためのスペースを本体内に確保することが困難であり、組立て作業の作業性の低下が懸念される。
【０００５】
本発明の目的は、組立て作業の作業性の向上を図ることができる非常用点灯装置を提供することである。
【課題を解決するための手段】
【０００６】
本発明の一態様に係る非常用点灯装置は、光源と、非常用電源から給電されて前記光源を点灯させる電源ユニットと、前記光源及び前記電源ユニットの少なくとも一方と電気的に接続される１つ以上の部品とを備える。前記非常用点灯装置は、前記光源、前記電源ユニット及び前記部品を収容して造営材に取り付けられる本体と、前記電源ユニットを支持する支持部材とを備える。前記本体は、前面が開放された箱形に形成されている。前記１つ以上の部品のうちの少なくとも１つの部品が前記支持部材に取り付けられる。
【発明の効果】
【０００７】
本発明の非常用点灯装置は、組立て作業の作業性の向上を図ることができるという効果がある。
【図面の簡単な説明】
【０００８】
【図１】図１は、実施形態の非常用点灯装置の斜視図である。
【図２】図２は、同上の非常用点灯装置の分解斜視図である。
【図３】図３は、同上の非常用点灯装置のカバーを外した状態の正面図である。
【図４】図４は、同上の非常用点灯装置の側面断面図である。
【図５】図５は、同上の非常用点灯装置における電源ユニットの回路構成図である。
【図６】図６は、同上の非常用点灯装置における要部の斜視図である。
【図７】図７は、同上の非常用点灯装置における要部の側面断面図である。
【発明を実施するための形態】
【０００９】
本発明の一態様に係る非常用点灯装置の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
実施形態の非常用点灯装置１は、誘導灯器具の近傍に取り付けられ、誘導灯信号装置から信号（点滅信号）を受けて、誘導効果を高めるためにＬＥＤ光源を点滅させる、いわゆる独立形点滅装置である（日本照明工業会規格JIL5502-2008参照）。非常用点灯装置１は、造営材（例えば、建物内の避難口の近くの天井）に設けられる埋込孔に埋め込まれるようにして造営材に設置される埋込型の点滅装置である。ただし、非常用点灯装置は独立形点滅装置に限定されず、誘導灯器具又は非常灯などの点滅装置以外の非常時用照明器具であってもよい。
【００１１】
非常用点灯装置１は、図１〜図４に示すように、光源ユニット４と、電源ユニット５と、光源ユニット４及び電源ユニット５を収容して造営材（天井）に埋め込まれる本体２とを備える。非常用点灯装置１は、電源ユニット５を支持する支持部材２３を備える。また、非常用点灯装置１は、本体２に結合されるカバー３と、蓄電池ブロック６と、スイッチブロック７とを更に備える。なお、以下の説明においては、特に断りのない限り、図２に矢印で示す向きにおいて、非常用点灯装置１の上下、左右及び前後の各方向を規定する。
【００１２】
本体２は、長方形状の底板２０と、底板２０の四つの辺の各々から立ち上がる四つの側板２１とを有して下面が開放された箱状に形成されている。ただし、以下の説明においては、底板２０の前側の辺から立ち上がる側板２１を前側板２１Ａ、底板２０の後側の辺から立ち上がる側板２１を後側板２１Ｂと呼ぶ場合がある。同様に、底板２０の左側の辺から立ち上がる側板２１を左側板２１Ｃ、底板２０の右側の辺から立ち上がる側板２１を右側板２１Ｄと呼ぶ場合がある。底板２０と四つの側板２１は、亜鉛鋼板などの金属板が曲げ加工されることによって一体に形成されている。
【００１３】
底板２０は、底板２０の長手方向（左右方向）の両端に、円形の第１電線孔２０１及び第２電線孔２０２を各々一つずつ有する。第１電線孔２０１は、常用電源（例えば、商用の電力系統）から給電されるための電線（電源線）が通される。第２電線孔２０２は、点滅信号が伝送される電線（信号線）が通される。ただし、第２電線孔２０２には、点滅信号用の信号線とともに、煙感知器から煙感知信号が伝送される電線（信号線）が通される場合もある。ただし、第１電線孔２０１に信号線が通されてもよいし、第２電線孔２０２に電源線が通されてもよい。
【００１４】
底板２０の長手方向（左右方向）の両端に取付金具２２が一つずつ取り付けられる。取付金具２２は、長方形状の主片２２０と、主片２２０の長手方向の両端から斜め上方に突き出した一対の脚片２２１と、一対の脚片２２１のそれぞれの先端（上端）から外向きに突き出した一対の固定片２２２とを有する（図３参照）。主片２２０の中央には円形の孔２２３が貫通している。取付金具２２の一対の固定片２２２は、例えば、リベットによって底板２０に固定される。なお、底板２０の長手方向の両端において、一対の取付金具２２のそれぞれの主片２２０の孔２２３と上下方向に対向する位置に、円形の孔２０６が一つずつ貫通している（図２参照）。すなわち、建物の天井躯体に埋め込まれているつりボルトが底板２０の孔２０６及び取付金具２２の主片２２０の孔２２３に通され、主片２２０の下に突き出したつりボルトにナットが締め付けられることで本体２がつりボルトに取り付けられる。
【００１５】
光源ユニット４は、発光ダイオード（Light Emitting Diode）４０と、ＬＥＤ４０を支持するホルダ４１と、コネクタ４２と、レンズ４３と、取付板４４と、２本の取付ねじ４５とを有している（図２〜図５参照）。ＬＥＤ４０は、例えば、ＣＯＢ（Chip on Board）型の照明用白色ＬＥＤである。
【００１６】
ホルダ４１は、ポリカーボネート樹脂などの合成樹脂材料によって円板状に形成されている。ホルダ４１の中央部にＬＥＤ４０が保持されている。コネクタ４２はホルダ４１と一体に形成されている。コネクタ４２は、角筒状に形成されて一対の端子板（不図示）を内部に収容して保持している。一対の端子板のうちの一方の端子板はＬＥＤ４０のアノードと電気的に接続されている。また、一対の端子板のうちの他方の端子板はＬＥＤ４０のカソードと電気的に接続されている。
【００１７】
レンズ４３は、アクリル樹脂によってドーム状に形成されている。ただし、レンズ４３は、ケイ酸塩ガラスや石英ガラスのような不燃材によって形成されてもかまわない。レンズ４３は、一対の固定片４３０を有している。各固定片４３０には円筒形の孔（不図示）が厚み方向（前後方向）に貫通している。
【００１８】
取付板４４は、平板状の固定部４４０と、一対のねじ止め部４４１とを有している（図２及び図３参照）。取付板４４は、固定部４４０と一対のねじ止め部４４１とは、例えば、アルミ板によって一体に形成されている。
【００１９】
固定部４４０の左後隅及び右前隅にねじ孔（不図示）がそれぞれ一つずつ設けられている。固定部４４０にはホルダ４１とレンズ４３が固定される。レンズ４３の各固定片４３０の孔及びホルダ４１に設けられている貫通孔（不図示）に１本ずつ取付ねじ４５が通される。そして、各取付ねじ４５が取付板４４の固定部４４０に設けられている２つのねじ孔のうちの対応するねじ孔にねじ込まれる。その結果、レンズ４３とホルダ４１が２本の取付ねじ４５によって取付板４４の固定部４４０にねじ止めされる。
【００２０】
一対のねじ止め部４４１は、それぞれかぎ形に形成されている（図２参照）。ねじ止め部４４１の先端には円形の孔４４５が貫通している。
【００２１】
蓄電池ブロック６は、複数本の乾電池型の電池セルが熱収縮チューブに包まれて構成された蓄電池６０（図５参照）と、蓄電池６０を保持する電池ホルダ６１と、蓄電池６０と電気的に接続されている電線６２とを有している（図２参照）。
【００２２】
スイッチブロック７は、点検スイッチ（不図示）と充電モニタ（不図示）を有する。また、スイッチブロック７は、点検スイッチ及び充電モニタを収容するケース７１と、ケース７１の外から点検スイッチを操作するための操作ボタン７０とを有する（図２参照）。
【００２３】
ケース７１は、合成樹脂材料によって直方体形状の箱形に形成されている。ケース７１の下面には、操作ボタン７０がはめ込まれる操作孔７１０と、操作孔７１０よりも径の小さい表示孔７１１とが設けられている（図３参照）。操作ボタン７０は円柱状に形成されており、上下方向に移動可能な状態で操作孔７１０にはめ込まれている。ケース７１内において操作孔７１０と上下方向に対向する位置に、押釦スイッチからなる点検スイッチが配置されている。したがって、ケース７１の外から押された操作ボタン７０がケース７１内に移動し、操作ボタン７０の上端で点検スイッチが押操作される。ケース７１内において表示孔７１１と上下方向に対向する位置に表示用のＬＥＤからなる充電モニタが配置されている。すなわち、充電モニタの発する光（例えば、緑色の光）が表示孔７１１を通してケース７１の外に放射される。
【００２４】
電源ユニット５は、蓄電池６０から供給される電力によって光源ユニット４を駆動する駆動回路５０と、駆動回路５０を収容する筐体５１とを有する。電源ユニット５は、外部電源（例えば、商用の電力系統１４）から供給される交流電力を直流電力に変換して蓄電池６０を充電する充電回路５６を更に有する。
【００２５】
電源ユニット５の回路構成の一例を図５に示す。充電回路５６は、商用の電力系統１４から供給される交流電力を直流電力に電力変換するＡＣ／ＤＣコンバータを有している。充電回路５６は、電力変換した直流電力を逆流阻止用のダイオードＤ２を介して蓄電池ブロック６蓄電池６０に供給して蓄電池６０を充電する。
【００２６】
駆動回路５０は、蓄電池ブロック６の蓄電池６０から入力する直流入力電圧を昇圧する昇圧回路５００を備えている。さらに、駆動回路５０は、昇圧回路５００から光源ユニット４への給電路を開閉するスイッチング素子Ｑ１と、スイッチング素子Ｑ１をオン・オフさせる制御回路５０１とを備えている。スイッチング素子Ｑ１と光源ユニット４のＬＥＤ４０が昇圧回路５００の出力端間に電気的に直列接続される。
【００２７】
昇圧回路５００は、スイッチング素子Ｑ２、チョークコイルＬ１、ダイオードＤ１、入力コンデンサＣ２、出力コンデンサＣ０、ドライブ回路５０２などで構成されるブーストコンバータ（昇圧チョッパ回路）である。スイッチング素子Ｑ２は、例えば、エンハンスメント形のＮチャネルＭＯＳＦＥＴ（metal-oxide-semiconductor field-effect transistor）からなる。ドライブ回路５０２は、スイッチング素子Ｑ２のゲート・ソース間電圧をしきい値電圧以上とすることでスイッチング素子Ｑ２をオンし、ゲート・ソース間電圧をしきい値電圧未満とすることでスイッチング素子Ｑ２をオフするように構成されている。
【００２８】
スイッチング素子Ｑ１は、例えば、エンハンスメント形のＮチャネルＭＯＳＦＥＴからなる。スイッチング素子Ｑ１は、制御回路５０１によってゲート・ソース間電圧が制御されることにより、オン・オフされる。
【００２９】
制御回路５０１は、例えば、マイクロコントローラで構成されている。制御回路５０１は、信号線（不図示）を介して誘導灯信号装置から点滅信号を受信したとき、ドライブ回路５０２に制御信号Ｓ１を出力する。なお、制御回路５０１は、信号線（不図示）を介して煙感知器から煙感知信号を受信したときにも、ドライブ回路５０２に制御信号Ｓ１を出力する。ドライブ回路５０２は、制御信号Ｓ１を受け取ると、スイッチング素子Ｑ２をスイッチングして昇圧回路５００に昇圧動作を行わせる。制御回路５０１は、制御信号Ｓ１を出力した後、スイッチング素子Ｑ１をオンして光源ユニット４を点灯させる。ただし、制御回路５０１は、誘導効果を高めるために光源ユニット４を間欠駆動する。例えば、制御回路５０１は、約５００ｍｓごとに約５０ｍｓの期間だけスイッチング素子Ｑ１をオンして光源ユニット４を点滅させる。
【００３０】
さらに、制御回路５０１は、スイッチブロック７の点検スイッチの状態を監視し、点検スイッチがオンされている間、充電回路５６を強制的に停止させるとともに駆動回路５０を制御して蓄電池ブロック６から供給される電力で光源ユニット４を点灯させる。つまり、点検スイッチが操作されることによって、駆動回路５０の点検動作が行われる。
【００３１】
スイッチブロック７の充電モニタは、充電回路５６によって充電されている間だけ点灯し、充電回路５６によって充電されていないときに消灯する。つまり、充電モニタは、充電中に点灯することによって蓄電池ブロック６の蓄電池６０が充電されていることを表示する。
【００３２】
電源ユニット５の筐体５１は、合成樹脂材料によって箱状に形成されている（図２、図３及び図６参照）。筐体５１は、上述した駆動回路５０及び充電回路５６を構成するプリント回路板（不図示）を収容している。筐体５１の一つの角部から２本の電線（電源線５２）が筐体５１の外に引き出されている。これら２本の電源線５２は、第１端子台１１の２次側の端子と電気的に接続される（図３参照）。
【００３３】
筐体５１の長手方向の一方の端部（図３における右側の端部）には、プリント回路板に実装されている信号用端子台５０３が露出している。信号用端子台５０３は、多極（図示例では１０極）のねじなし端子台である。信号用端子台５０３の一方の端（図３では後端）の２極の端子と、第２端子台１２の２次側の２極の端子とが２本の信号線５３によって電気的に接続される。また、信号用端子台５０３の他方の端（図３では前端）の２極の端子と、第３端子台１３の２次側の２極の端子とが２本の信号線５４によって電気的に接続される。
【００３４】
筐体５１の長手方向の他方の端部（図３における左側の端部）には、プリント回路板に実装されている３つの端子部が露出している。これら３つの端子部は、筐体５１の短手方向（図３における前後方向）に沿って一列に並んでいる。一番後の端子部（不図示）は２極の端子を有しており、蓄電池ブロック６の２本の電線６２とそれぞれ１極ずつ電気的に接続される。中央の端子部（不図示）は３極の端子を有しており、スイッチブロック７の３本の電線７３とそれぞれ１極ずつ電気的に接続される。一番前の端子部５０６は２極の端子を有しており、２本の電線（出力線５５）とそれぞれ１極ずつ電気的に接続される。なお、これら２本の出力線５５は、光源ユニット４のコネクタ４２と電気的に接続される（図７参照）。
【００３５】
支持部材２３は、取付部２３０、第１側部２３１、第２側部２３２、第１脚部２３３及び第２脚部２３４を有している（図６参照）。ただし、 取付部２３０、第１側部２３１、第２側部２３２、第１脚部２３３及び第２脚部２３４は、金属板が加工されることで一体に形成されることが好ましい。
【００３６】
取付部２３０は、おおむね長方形状に形成されている。ただし、取付部２３０の前側の辺は、取付部２３０の後側の辺よりも短い。第１側部２３１は、略長方形状に形成され、取付部２３０の後側の辺から上向きに突き出ている（図４及び図６参照）。第１側部２３１は、取付部２３０と平行する第１支持片２３５を有している（図６参照）。第１支持片２３５は、第１側部２３１から切り起こされている。
【００３７】
第１脚部２３３は、Ｌ字形状に形成されて取付部２３０の右辺の後端から上向きに突き出ている（図６参照）。第２脚部２３４は、Ｌ字形状に形成されて取付部２３０の左辺から上向きに突き出ている（図６参照）。
【００３８】
取付部２３０には、光源ユニット４、第１端子台１１、第２端子台１２、第３端子台１３、蓄電池ブロック６及びスイッチブロック７が取り付けられる（図２〜図６参照）。第１端子台１１と第２端子台１２は、取付部２３０の下面における左端に前後方向に並べて取り付けられる（図５参照）。第３端子台１３とスイッチブロック７は、固定板２３６を介して取付部２３０の下面における右端に取り付けられる（図５参照）。蓄電池ブロック６は、取付部２３０の下面における左端の前端部分に取り付けられる。
【００３９】
取付板４４は、一対のねじ止め部４４１が取付部２３０にねじ止めされることで取付部２３０の下面に取り付けられる。なお、取付部２３０の中央には、第１孔２３７と、第１孔２３７よりも直径の小さい第２孔２３８とが貫通している（図２及び図７参照）。取付部２３０の下方から見て、第２孔２３８と、光源ユニット４のコネクタ４２とが重なっている（図６参照）。第１孔２３７には、２本の電源線５２、２本の信号線５３及び２本の信号線５４が通される。また、第２孔２３８には、２本の出力線５５が通される。ただし、取付部２３０における第１孔２３７の縁は電線保護部材２３９で覆われている。電線保護部材２３９は、合成樹脂によって円筒形状に形成されて取付部２３０の第１孔２３７にはめ込まれて取付部２３０に取り付けられる。電源線５２等の電線は、電線保護部材２３９を介して第１孔２３７に通される。取付部２３０における第１孔２３７の縁が電線保護部材２３９で覆われているので、取付部２３０における第１孔２３７の縁で電源線５２等の電線の被覆が傷付くことを防ぐことができる。
【００４０】
ここで、支持部材２３の第１脚部２３３及び第２脚部２３４の高さ（上下方向の長さ）が電源ユニット５の筐体５１の高さの約２倍程度の高さとされている。つまり、支持部材２３は、取付部２３０と筐体５１の間に、多数の電線（電源線５２、信号線５３、信号線５４、出力線５５及び電線７３）が配置される空間Ｘ１を有している（図７参照）。したがって、非常用点灯装置１では、多数の電線（電源線５２、信号線５３、信号線５４、出力線５５及び電線７３）の余長が空間Ｘ１に配置されるので、配線作業の作業性の向上を図ることができる。また、非常用点灯装置１では、支持部材２３が電源ユニット５の筐体５１との間に空間Ｘ１を有するので、空間Ｘ１に存在する空気によって光源ユニット４の発する熱が電源ユニット５に伝わりにくくなるという利点がある。
【００４１】
支持部材２３は、第１脚部２３３及び第２脚部２３４の先端（上端）が底板２０にねじ（あるいはリベット）で締結されることによって本体２に取り付けられる。そして、支持部材２３は、本体２の底板２０との間で電源ユニット５の筐体５１を支持する（図２〜図５参照）。より詳細には、支持部材２３は、支持部材２３の第２側部２３２、及び支持部材２３の第１支持片２３５を筐体５１の下面に当てることで筐体５１を支持している。すなわち、非常用点灯装置１は、支持部材２３が本体２との間で電源ユニット５の筐体５１を挟むように電源ユニット５を支持する。そのため、電源ユニット５の筐体５１が本体２にねじ止めされる場合と比較して、組立て作業の作業性の向上を図ることができる。
【００４２】
カバー３は、長方形の平板状に形成されている。カバー３の中央に第１孔３０１が設けられ、カバー３の中央における第１孔３０１の右隣に第２孔３０２と第３孔３０３が設けられている。カバー３の上面における長手方向の両端に取付ばね３２が一つずつ設けられている。カバー３は、これらの取付ばね３２が左側板２１Ｃ及び右側板２１Ｄに一つずつ設けられている受け部２１１に引っ掛けられることによって着脱可能に本体２と結合される（図１〜図５参照）。本体２と結合されたカバー３の第１孔３０１から光源ユニット４のレンズ４３がカバー３の外に露出する。したがって、光源ユニット４の光は、カバー３の第１孔３０１を通してカバー３の外に出射される。また、第２孔３０２からはスイッチブロック７の操作ボタン７０が露出する。ゆえに、操作ボタン７０は、第２孔３０２を通してカバー３の外から押操作される。さらに、スイッチブロック７の充電モニタの発する光が第３孔３０３を通してカバー３の外に出射される。
【００４３】
上述のように非常用点灯装置１では、電源ユニット５を支持する支持部材２３に、光源ユニット４及び電源ユニット５のうちの少なくとも一方と電気的に接続される１つ以上の部品、例えば、第１端子台１１、第２端子台１２、第３端子台１３などが取り付けられる。さらに、支持部材２３には、光源ユニット４及びスイッチブロック７が取り付けられている。ここで、第１端子台１１などの部品が本体２の底板２０に取り付けられると仮定した場合、組立て作業を行う作業者は、本体２内の狭い空間に手を入れて取付作業を行わなければならない。これに対して非常用点灯装置１では、作業者は、第１端子台１１などの部品を支持部材２３に取り付ける作業を本体２の外で行うことができる。その結果、非常用点灯装置１は、第１端子台１１などの部品が支持部材２３に取り付けられない場合に比べて、組立て作業の作業性の向上を図ることができる。
【００４４】
また、非常用点灯装置１では、第１端子台１１だけでなく、光源ユニット４、第２端子台１２、第３端子台１３及びスイッチブロック７が支持部材２３に取り付けられている。つまり、非常用点灯装置１は、組立て作業において、電源ユニット５を除く主要な部品（光源ユニット４、第１端子台１１、第２端子台１２、第３端子台１３及びスイッチブロック７）が本体２の外で支持部材２３に取り付けられる。その結果、非常用点灯装置１は、光源ユニット４、第１端子台１１、第２端子台１２、第３端子台１３及びスイッチブロック７が本体２に取り付けられる場合と比べて、組立て作業の作業性の更なる向上を図ることができる。
【００４５】
さらに、支持部材２３は、取付部２３０から本体２の内底面（下面）に向かって突き出し、かつ、先端部分が本体２に固定される第１脚部２３３及び第２脚部２３４を有している。そして、光源ユニット４、第１端子台１１、第２端子台１２、第３端子台１３及びスイッチブロック７が本体２の内底面（下面）に対向する取付部２３０の第１面（上面）と反対の取付部２３０の第２面（下面）に取り付けられる。そのため、非常用点灯装置１は、取付部２３０の同じ面（下面）に対して、光源ユニット４等の複数の部品が同一方向から取付可能である。その結果、非常用点灯装置１は、組立て作業の作業性の更なる向上を図ることができる。
【００４６】
上述のように本発明の第１の態様に係る非常用点灯装置（１）は、光源（光源ユニット４）と、非常用電源（蓄電池６０）から給電されて光源（光源ユニット４）を点灯させる電源ユニット（５）とを備える。第１の態様に係る非常用点灯装置（１）は、光源（光源ユニット４）及び電源ユニット（５）の少なくとも一方と電気的に接続される１つ以上の部品を備える。第１の態様に係る非常用点灯装置（１）は、光源（光源ユニット４）、電源ユニット（５）及び前記部品を収容して造営材に取り付けられる本体（２）と、電源ユニット（５）を支持する支持部材（２３）とを備える。本体（２）は、前面が開放されている箱形に形成されている。１つ以上の部品のうちの少なくとも１つの部品が支持部材（２３）に取り付けられる。
【００４７】
第１の態様に係る非常用点灯装置（１）は、組立て作業において、光源（光源ユニット４）及び電源ユニット（５）の少なくとも一方と電気的に接続される１つ以上の部品が本体（２）の外で支持部材（２３）に取り付けられることができる。その結果、第１の態様に係る非常用点灯装置（１）は、部品が支持部材（２３）に取り付けられない場合に比べて、組立て作業の作業性の向上を図ることができる。
【００４８】
本発明の第２の態様に係る非常用点灯装置（１）は、第１の態様との組合せにより実現され得る。第２の態様に係る非常用点灯装置（１）において、光源（光源ユニット４）は、支持部材（２３）に取り付けられることが好ましい。
【００４９】
第２の態様に係る非常用点灯装置（１）は、光源（光源ユニット４）が支持部材（２３）に取り付けられるので、組立て作業の作業性の更なる向上を図ることができる。
【００５０】
本発明の第３の態様に係る非常用点灯装置（１）は、第１又は第２の態様との組合せにより実現され得る。第３の態様に係る非常用点灯装置（１）は、非常用電源である蓄電池（６０）と、常用電源（電力系統１４）から供給される電力で蓄電池（６０）を充電する充電回路（５６）とを更に備えることが好ましい。第３の態様に係る非常用点灯装置（１）は、常用電源（電力系統１４）から充電回路（５６）への給電路となる電源線（５２）が電気的に接続される端子台（第１端子台１１）を更に備えることが好ましい。支持部材（２３）に取り付けられる部品は、端子台（第１端子台１１）を含むことが好ましい。
【００５１】
第３の態様に係る非常用点灯装置（１）は、端子台（第１端子台１１）が支持部材（２３）に取り付けられるので、組立て作業の作業性の更なる向上を図ることができる。
【００５２】
本発明の第４の態様に係る非常用点灯装置（１）は、第１〜第３の態様のいずれか一つとの組合せにより実現され得る。第４の態様に係る非常用点灯装置（１）において、支持部材（２３）は、本体（２）の内底面と対向する取付部（２３０）を有することが好ましい。支持部材（２３）は、取付部（２３０）から本体（２）の内底面に向かって突き出し、かつ、先端部分が本体（２）に固定される一つ以上の脚部（第１脚部２３３、第２脚部２３４）を有することが好ましい。部品及び光源（光源ユニット４）は、本体（２）の内底面に対向する取付部（２３０）の第１面と反対の取付部（２３０）の第２面に取り付けられることが好ましい。
【００５３】
第４の態様に係る非常用点灯装置（１）は、取付部（２３０）の同じ面（第２面）に対して、部品及び光源（光源ユニット４）が同一方向から取付可能である。その結果、第４の態様に係る非常用点灯装置（１）は、組立て作業の作業性の更なる向上を図ることができる。
【００５４】
本発明の第５の態様に係る非常用点灯装置（１）は、第１〜第４の態様のいずれか一つとの組合せにより実現され得る。第５の態様に係る非常用点灯装置（１）は、操作入力を受け付けるためのスイッチを有するスイッチブロック（７）を備えることが好ましい。電源ユニット（５）は、操作入力に応じて光源（光源ユニット４）を駆動する機能を有することが好ましい。スイッチブロック（７）は、支持部材（２３）に取り付けられることが好ましい。
【００５５】
第５の態様に係る非常用点灯装置（１）は、スイッチブロック（７）が支持部材（２３）に取り付けられるので、組立て作業の作業性の更なる向上を図ることができる。
【００５６】
本発明の第６の態様に係る非常用点灯装置（１）は、第５の態様との組合せにより実現され得る。第６の態様に係る非常用点灯装置（１）において、支持部材（２３）は、本体（２）の内底面と対向する取付部（２３０）を有することが好ましい。支持部材（２３）は、取付部（２３０）から本体（２）の内底面に向かって突き出し、かつ、先端部分が本体（２）に固定される一つ以上の脚部（第１脚部２３３、第２脚部２３４）を有することが好ましい。部品及び光源（光源ユニット４）は、本体（２）の内底面に対向する取付部（２３０）の第１面と反対の取付部（２３０）の第２面に取り付けられることが好ましい。取付部（２３０）は、１つ以上の孔（第１孔２３７；第２孔２３８）を有することが好ましい。１つ以上の孔（第１孔２３７；第２孔２３８）は、光源（光源ユニット４）と電源ユニット（５）を電気的に接続する第１電線（出力線５５）が通される。または、１つ以上の孔（第１孔２３７；第２孔２３８）は、部品（第１端子台１１）と電源ユニット（５）を電気的に接続する第２電線（電源線５２）が通される。あるいは、１つ以上の孔（第１孔２３７；第２孔２３８）は、第１電線（出力線５５）と第２電線（電源線５２）の両方が通される。
【００５７】
第６の態様に係る非常用点灯装置（１）は、第１電線（出力線５５）又は第２電線（電源線５２）の少なくとも一方が孔（第１孔２３７；第２孔２３８）に通されることにより、配線作業の作業性の向上を図ることができる。
【００５８】
本発明の第７の態様に係る非常用点灯装置（１）は、第６の態様との組合せにより実現され得る。第７の態様に非常用点灯装置（１）において、支持部材（２３）は、取付部（２３０）と電源ユニット（５）の間に、第１電線（出力線５５）又は第２電線（電源線５２）のうちの少なくともいずれか一方が配置される空間（Ｘ１）を有することが好ましい。
【００５９】
第７の態様に係る非常用点灯装置（１）は、第１電線（出力線５５）又は第２電線（電源線５２）の余長を空間（Ｘ１）に配置させることにより、配線作業の作業性の向上を図ることができる。
【符号の説明】
【００６０】
１  非常用点灯装置
２  本体
４  光源ユニット（光源）
５  電源ユニット
７  スイッチブロック
１１  第１端子台
１２  第２端子台（部品）
１３  第３端子台（部品）
１４  電力系統（常用電源）
２３  支持部材
５２  電源線（第２電線）
５５  出力線（第１電線）
５６  充電回路
６０  蓄電池
２３０  取付部
２３７  第１孔（孔）
２３８  第２孔（孔）
Ｘ１  空間
【図１】
2019160761.tif 000003
【図２】
2019160761.tif 000004
【図３】
2019160761.tif 000005
【図４】
2019160761.tif 000006
【図５】
2019160761.tif 000007
【図６】
2019160761.tif 000008
【図７】
2019160761.tif 000009